Podtech/llm-jp-corpus-v4-ja_patent huggingface dataset:
【手続補正書】
【提出日】令和2年12月18日(2020.12.18)
【手続補正１】
【補正対象書類名】特許請求の範囲
【補正対象項目名】全文
【補正方法】変更
【補正の内容】
【特許請求の範囲】
【請求項１】
撮影光学系を介して結像される被写体像を撮像する撮像素子と、
前記撮像素子を前記撮影光学系の光軸に直交する平面において移動可能とする像面防振機構と、
前記像面防振機構の移動を制御する制御手段と、
前記撮影光学系に関する情報を受信する受信手段と、を有し、
前記制御手段は、前記撮像素子の出力に基づく前記被写体像に関する画像信号を観察する電子プレビューモードにおいて、前記受信手段により受信した前記撮影光学系に関する情報に基づいて前記像面防振機構の移動中心を決定することを特徴とする撮像装置。
【請求項２】
前記撮影光学系に関する情報は、前記撮影光学系の光軸の位置情報および前記撮影光学系のイメージサークルの大きさに関する情報の少なくとも一方であることを特徴とする請求項１に記載の撮像装置。
【請求項３】
前記撮影光学系に関する情報は、前記撮影光学系の光軸の位置を示す情報を含み、
前記制御手段は、前記電子プレビューモードにおいて、前記像面防振機構の移動中心が前記撮影光学系の光軸と交わるように、前記像面防振機構の移動中心を決定することを特徴とする請求項１または２に記載の撮像装置。
【請求項４】
前記撮影光学系を取り付け可能とするマウントを更に有し、
前記制御手段は、前記電子プレビューモードにおいて、前記像面防振機構の移動中心が前記マウントの中心軸と交わるように、前記像面防振機構の移動中心を決定することを特徴とする請求項１または２に記載の撮像装置。
【請求項５】
前記制御手段は、前記電子プレビューモードにおいて、前記像面防振機構の移動中心を前記像面防振機構の電力が最小化する位置に決定することを特徴とする請求項１または２に記載の撮像装置。
【請求項６】
前記撮影光学系を取り付け可能とするマウントを更に有し、
前記制御手段は、前記電子プレビューモードにおいて、前記像面防振機構の移動中心が、前記撮影光学系の光軸と前記撮像素子との交点と、前記マウントの中心軸と前記撮像素子との交点と、を結ぶ直線上に位置するように、前記像面防振機構の移動中心を決定することを特徴とする請求項１または２に記載の撮像装置。
【請求項７】
前記被写体像を光学的に観察可能な光学ファインダ手段を更に有し、
前記制御手段は、前記光学ファインダ手段を用いて前記被写体像を光学的に観察する光学プレビューモードにおいて、前記光学ファインダ手段の光軸と交わるように前記像面防振機構の移動中心を決定することを特徴とする請求項１から６のいずれか１項に記載の撮像装置。
【請求項８】
前記撮影光学系に関する情報は、前記撮影光学系の光軸の位置情報および前記撮影光学系のイメージサークルの大きさに関する情報の少なくとも一方であり、
前記制御手段は、
前記受信手段により受信した前記撮影光学系の光軸の位置を示す情報と前記撮影光学系のイメージサークルの大きさを示す情報との少なくともいずれかに基づいて、第１の方法により前記電子プレビューモードにおける前記像面防振機構の移動中心を決定するか、前記第１の方法と異なる第２の方法により前記電子プレビューモードにおける前記像面防振機構の移動中心を決定するかを決定することを特徴とする請求項１から７のいずれか１項に記載の撮像装置。
【請求項９】
前記第１の方法は、前記受信手段により受信した前記撮影光学系の光軸の位置を示す情報と前記撮影光学系のイメージサークルの大きさを示す情報との少なくともいずれかに基づいて、前記電子プレビューモードにおける前記像面防振機構の移動中心を決定する方法であることを特徴とする請求項８に記載の撮像装置。
【請求項１０】
前記第２の方法は、前記像面防振機構による前記撮像素子の移動に関する情報に基づいて、前記電子プレビューモードにおける前記像面防振機構の移動中心を決定する方法であることを特徴とする請求項８または９に記載の撮像装置。
【請求項１１】
前記像面防振機構による前記撮像素子の移動に関する情報は、前記像面防振機構による前記撮像素子の移動に要する電力の情報であることを特徴とする請求項１０に記載の撮像装置。
【請求項１２】
前記像面防振機構による前記撮像素子の移動に関する情報は、前記防振機構による前記撮像素子の移動可能な範囲の中心を示す情報であることを特徴とする請求項１０に記載の撮像装置。
【請求項１３】
前記像面防振機構による前記撮像素子の移動に関する情報は、前記撮像素子の位置を検出する位置検出手段の検出分解能に関する情報であることを特徴とする請求項１０に記載の撮像装置。
【請求項１４】
前記像面防振機構による前記撮像素子の移動に関する情報は、前記撮像素子の移動に伴う摩擦に関する情報であることを特徴とする請求項１０に記載の撮像装置。
【請求項１５】
前記第２の方法は、前記受信手段により受信した前記撮影光学系の光軸の位置を示す情報と、前記像面防振機構による前記撮像素子の移動に関する情報とに基づいて、前記電子プレビューモードにおける前記像面防振機構の移動中心を決定する方法であることを特徴とする請求項８または９に記載の撮像装置。
【請求項１６】
前記受信手段は、前記撮影光学系のイメージサークルの大きさを示す情報を少なくとも受信し、
前記制御部は、
前記第１の方法により前記電子プレビューモードにおける前記像面防振機構の移動中心を決定するか、前記第２の方法により前記電子プレビューモードにおける前記像面防振機構の移動中心を決定するかを、前記イメージサークルの大きさを示す情報に基づいて決定することを特徴とする請求項８から１６のいずれか１項に記載の撮像装置。
【請求項１７】
撮影光学系と、
請求項１から１６のいずれか１項に記載の撮像装置と、を有することを特徴とするカメラシステム。
【請求項１８】
前記撮影光学系は、前記撮影光学系に関する情報を記憶する記憶手段を有することを特徴とする請求項１７に記載のカメラシステム。
【手続補正２】
【補正対象書類名】明細書
【補正対象項目名】０００８
【補正方法】変更
【補正の内容】
【０００８】
本発明の一側面としての撮像装置は、撮影光学系を介して結像される被写体像を撮像する撮像素子と、前記撮像素子を前記撮影光学系の光軸に直交する平面において移動可能とする像面防振機構と、前記像面防振機構の移動を制御する制御手段と、前記撮影光学系に関する情報を受信する受信手段と、を有し、前記制御手段は、前記撮像素子の出力に基づく前記被写体像に関する画像信号を観察する電子プレビューモードにおいて、前記受信手段により受信した前記撮影光学系に関する情報に基づいて前記像面防振機構の移動中心を決定することを特徴とする。
【手続補正書】
【提出日】令和2年12月9日(2020.12.9)
【手続補正１】
【補正対象書類名】特許請求の範囲
【補正対象項目名】全文
【補正方法】変更
【補正の内容】
【特許請求の範囲】
【請求項１】
開始操作に基づいて遊技を開始してリールを回転させるとともに種々の抽選を実行し、停止操作及び前記抽選の結果に基づいて回転中の前記リールを停止させ、表示された図柄組合せに基づく所定の処理を実行する遊技機であって、
第１遊技状態と前記第１遊技状態の終期を変動する処理が実行され得る第２遊技状態とを含む複数の遊技に係る状態の移行を制御可能な遊技制御手段と、
前記第２遊技状態に係る複数の遊技モードのうち所定の遊技モードを決定することを可能とする遊技モード制御手段とを備え、
前記遊技モード制御手段は、前記リールの停止態様により異なる図柄組合せを表示可能な特定役が前記抽選によって当選した場合、表示された図柄組合せの態様に基づいて、前記第２遊技状態に係る前記所定の遊技モードを決定することを特徴とする遊技機。
【請求項２】
前記遊技モードは、第１遊技モードと前記第１遊技モードとは所定遊技回数あたりの出玉性能が異なる第２遊技モードとを含み、
前記第１遊技モード及び前記第２遊技モードは、前記所定遊技回数よりも多い特定遊技回数あたりの出玉性能に差異がないように設定されていることを特徴とする請求項１記載の遊技機。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
遊技領域に向けて遊技球を発射することによって遊技を行う遊技機であって、
所定の付与条件が成立すると遊技者に特典を付与する特典付与手段と、
前記特典が付与される可能性を示唆する特別演出を実行可能な特別演出実行手段と、
を備え、
前記特別演出としては、示唆する前記可能性が互いに異なる複数種類の演出を実行可能であり、
前記特別演出が実行される前に、前記特別演出の種類を示唆する種類示唆画像を表示可能であり、
前記種類示唆画像が表示された場合は、表示中の前記種類示唆画像が示唆する前記特別演出を実行可能であり、且つ、表示中の前記種類示唆画像が示唆する前記特別演出が実行される前に、表示中の前記種類示唆画像を変更することが可能である
ことを特徴とする遊技機。
【請求項２】
請求項１に記載の遊技機において、
前記特別演出が行われるまでの時間の経過を示す時間経過演出を実行可能であり、
前記時間経過演出の実行中である場合の方が、前記時間経過演出の実行中でない場合よりも、表示中の前記種類示唆画像が変更され易い
ことを特徴とする遊技機。
【請求項３】
遊技領域に向けて遊技球を発射することによって遊技を行う遊技機であって、
所定の付与条件が成立すると遊技者に特典を付与する特典付与手段と、
前記特典が付与される可能性を示唆する特別演出を実行可能な特別演出実行手段と、
を備え、
前記特別演出としては、示唆する前記可能性が互いに異なる複数種類の演出を実行可能であり、
前記特別演出が実行される前に、前記特別演出の種類を示唆する種類示唆画像を表示可能であり、
前記種類示唆画像が表示された場合は、表示中の前記種類示唆画像が示唆する前記特別演出を実行可能であり、
前記種類示唆画像が表示された場合であっても、表示中の前記種類示唆画像が示唆する前記特別演出を実行しないことがある
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技領域に向けて遊技球を発射することによって遊技を行う遊技機であって、
所定の付与条件が成立すると遊技者に特典を付与する特典付与手段と、
前記特典が付与される可能性を示唆する特別演出を実行可能な特別演出実行手段と、
を備え、
前記特別演出としては、示唆する前記可能性が互いに異なる複数種類の演出を実行可能であり、
前記特別演出が実行される前に、前記特別演出の種類を示唆する種類示唆画像を表示可能であり、
前記種類示唆画像が表示された場合は、表示中の前記種類示唆画像が示唆する前記特別演出を実行可能であり、且つ、表示中の前記種類示唆画像が示唆する前記特別演出が実行される前に、表示中の前記種類示唆画像を変更することが可能である
ことを特徴とする。
また、本発明の遊技機は、
前記特別演出が行われるまでの時間の経過を示す時間経過演出を実行可能であり、
前記時間経過演出の実行中である場合の方が、前記時間経過演出の実行中でない場合よりも、表示中の前記種類示唆画像が変更され易い
こととしてもよい。
また、本発明の遊技機は、
遊技領域に向けて遊技球を発射することによって遊技を行う遊技機であって、
所定の付与条件が成立すると遊技者に特典を付与する特典付与手段と、
前記特典が付与される可能性を示唆する特別演出を実行可能な特別演出実行手段と、
を備え、
前記特別演出としては、示唆する前記可能性が互いに異なる複数種類の演出を実行可能であり、
前記特別演出が実行される前に、前記特別演出の種類を示唆する種類示唆画像を表示可能であり、
前記種類示唆画像が表示された場合は、表示中の前記種類示唆画像が示唆する前記特別演出を実行可能であり、
前記種類示唆画像が表示された場合であっても、表示中の前記種類示唆画像が示唆する前記特別演出を実行しないことがある
こととしてもよい。
【手続補正書】
【提出日】令和3年1月7日(2021.1.7)
【手続補正１】
【補正対象書類名】特許請求の範囲
【補正対象項目名】全文
【補正方法】変更
【補正の内容】
【特許請求の範囲】
【請求項１】
表示装置の表示領域で識別情報を変動表示させる識別情報表示手段を備え、前記識別情報が特定態様で表示されることに基づいて、可変入球口が入球可能状態となる特定遊技を実行する遊技機であって、
前記識別情報を変動表示させるに際しては、少なくとも一面に前記識別情報を表示可能な立体を表示可能であり、
前記立体の回転に伴って前記識別情報の変動表示を進行させる切換変動を実行可能である
ことを特徴とする遊技機。
【請求項２】
請求項１に記載の遊技機において、
前記切換変動では、表示されている前記立体の面の切り換えが行われる都度、前記立体の面に表示されている前記識別情報を変動させることが可能である
ことを特徴とする遊技機。
【請求項３】
請求項１に記載の遊技機において、
前記識別情報として、複数の装飾図柄を変動表示可能であり、
前記特定態様は、前記複数の装飾図柄が特定の組み合わせで停止表示する態様であり、
前記切換変動では、
前記立体の面に前記複数の装飾図柄のうち２以上の装飾図柄を表示可能であり、
表示されている前記立体の面の切り換えが行われる都度、前記２以上の装飾図柄のうち一部の装飾図柄の変動を停止した状態で前記一部の装飾図柄とは別の装飾図柄を変動させることが可能である
ことを特徴とする遊技機。
【請求項４】
請求項３に記載の遊技機において、
前記切換変動の結果として、
前記複数の装飾図柄のうち１つの装飾図柄を除いた装飾図柄を前記特定の組み合わせとなり得る態様で停止させて、該１つの装飾図柄を変動表示させるリーチ演出を実行可能である
ことを特徴とする遊技機。
【請求項５】
表示装置の表示領域で識別情報を変動表示させる識別情報表示手段を備え、前記識別情報が特定態様で表示されることに基づいて、可変入球口が入球可能状態となる特定遊技を実行する遊技機であって、
前記識別情報を変動表示させるに際しては、少なくとも一面に前記識別情報を表示可能な立体を表示可能であり、
表示されている前記立体の面数の変化に伴って、前記識別情報の変動表示を進行させることが可能である
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
表示装置の表示領域で識別情報を変動表示させる識別情報表示手段を備え、前記識別情報が特定態様で表示されることに基づいて、可変入球口が入球可能状態となる特定遊技を実行する遊技機であって、
前記識別情報を変動表示させるに際しては、少なくとも一面に前記識別情報を表示可能な立体を表示可能であり、
前記立体の回転に伴って前記識別情報の変動表示を進行させる切換変動を実行可能である
ことを特徴とする。
また、本発明の遊技機は、
前記切換変動では、表示されている前記立体の面の切り換えが行われる都度、前記立体の面に表示されている前記識別情報を変動させることが可能である
こととしてもよい。
また、本発明の遊技機は、
前記識別情報として、複数の装飾図柄を変動表示可能であり、
前記特定態様は、前記複数の装飾図柄が特定の組み合わせで停止表示する態様であり、
前記切換変動では、
前記立体の面に前記複数の装飾図柄のうち２以上の装飾図柄を表示可能であり、
表示されている前記立体の面の切り換えが行われる都度、前記２以上の装飾図柄のうち一部の装飾図柄の変動を停止した状態で前記一部の装飾図柄とは別の装飾図柄を変動させることが可能である
こととしてもよい。
また、本発明の遊技機は、
前記切換変動の結果として、
前記複数の装飾図柄のうち１つの装飾図柄を除いた装飾図柄を前記特定の組み合わせとなり得る態様で停止させて、該１つの装飾図柄を変動表示させるリーチ演出を実行可能である
こととしてもよい。
また、本発明の遊技機は、
表示装置の表示領域で識別情報を変動表示させる識別情報表示手段を備え、前記識別情報が特定態様で表示されることに基づいて、可変入球口が入球可能状態となる特定遊技を実行する遊技機であって、
前記識別情報を変動表示させるに際しては、少なくとも一面に前記識別情報を表示可能な立体を表示可能であり、
表示されている前記立体の面数の変化に伴って、前記識別情報の変動表示を進行させることが可能である
こととしてもよい。
【手続補正書】
【提出日】令和3年1月6日(2021.1.6)
【手続補正１】
【補正対象書類名】特許請求の範囲
【補正対象項目名】全文
【補正方法】変更
【補正の内容】
【特許請求の範囲】
【請求項１】
遊技球が始動口に入球することに基づいて取得される取得情報を記憶する取得情報記憶手段と、
前記取得情報が当り情報であるか否かの当り判定を行う当り判定手段と、
識別情報を変動表示させ、前記取得情報が前記当り情報であると前記当り判定で判定されることに基づいて、前記識別情報を特定態様で停止表示させる変動表示手段と、
前記識別情報が前記特定態様で停止表示される場合に、可変入球口が入球可能状態となる特定遊技を行う特定遊技実行手段と、
前記取得情報記憶手段に記憶されている前記取得情報について前記当り判定が行われる前に、当該取得情報が前記当り情報であるか否かの事前判定を行う事前判定手段と、
を備え、
変動表示中の前記識別情報が前記特定態様で表示される場合であって、且つ、前記事前判定の結果、前記取得情報記憶手段に記憶されている前記取得情報が前記当り情報であると判定された場合は、当該識別情報の変動表示中に特定画像を表示可能であり、
前記取得情報記憶手段に記憶されている前記取得情報が前記当り情報であると前記事前判定で判定されたことに基づいて前記特定画像を表示した場合は、当該取得情報に基づく前記識別情報の変動表示の結果として行われる前記特定遊技が開始されるタイミングで、前記特定画像の表示を終了する
ことを特徴とする遊技機。
【手続補正２】
【補正対象書類名】明細書
【補正対象項目名】０００７
【補正方法】変更
【補正の内容】
【０００７】
上述した課題の少なくとも一部を解決するために、本発明の遊技機は次の構成を採用した。すなわち、
遊技球が始動口に入球することに基づいて取得される取得情報を記憶する取得情報記憶手段と、
前記取得情報が当り情報であるか否かの当り判定を行う当り判定手段と、
識別情報を変動表示させ、前記取得情報が前記当り情報であると前記当り判定で判定されることに基づいて、前記識別情報を特定態様で停止表示させる変動表示手段と、
前記識別情報が前記特定態様で停止表示される場合に、可変入球口が入球可能状態となる特定遊技を行う特定遊技実行手段と、
前記取得情報記憶手段に記憶されている前記取得情報について前記当り判定が行われる前に、当該取得情報が前記当り情報であるか否かの事前判定を行う事前判定手段と、
を備え、
変動表示中の前記識別情報が前記特定態様で表示される場合であって、且つ、前記事前判定の結果、前記取得情報記憶手段に記憶されている前記取得情報が前記当り情報であると判定された場合は、当該識別情報の変動表示中に特定画像を表示可能であり、
前記取得情報記憶手段に記憶されている前記取得情報が前記当り情報であると前記事前判定で判定されたことに基づいて前記特定画像を表示した場合は、当該取得情報に基づく前記識別情報の変動表示の結果として行われる前記特定遊技が開始されるタイミングで、前記特定画像の表示を終了する
ことを特徴とする。
【手続補正書】
【提出日】令和3年3月3日(2021.3.3)
【手続補正１】
【補正対象書類名】特許請求の範囲
【補正対象項目名】全文
【補正方法】変更
【補正の内容】
【特許請求の範囲】
【請求項１】
上方に開口したケースに用いるシャッターアセンブリであって、
長方形状の枠体と、その枠体の開口を開閉するシャッター本体とを有し、
前記枠体は、平行に相対する一対の左右枠と、平行に相対する一対の前後枠とを備え、
前記一対の左右枠の内壁には、それぞれ長手方向に延びる３本以上のガイド溝が上下平行に形成されており、
前記シャッター本体は、３枚以上の長方形状のスライド板と、上下に隣接しているスライド板を連動させる連動機構とを備え、
前記シャッター本体は、前記スライド板が前後方向に階段状に並んで前記枠体の開口を閉じ、前記スライド板が上下に重なって枠体の開口を開く、
シャッターアセンブリ。
【請求項２】
前記連動機構は、前記スライド板の左右側辺の前側の上方または後側の下方に突出した一対の凸部と、前記スライド板の左右側辺の下方または上方に前後方向に延びる一対の溝と、それぞれの溝の前後端を閉じるストッパ壁とを備えている、
請求項１記載のシャッターアセンブリ。
【請求項３】
前記スライド板は、光透過性の合成樹脂の板本体と、その左右側辺に固定されたスライダーとを備え、
前記スライダーが、前記ガイド溝をスライドするスライド突起と、前記連動機構とを備えている、
請求項１または２記載のシャッターアセンブリ。
【請求項４】
前記スライド板は、光透過性で平板状の板本体と、その左右側辺に固定された一対のスライダーとを備え、
前記スライダーが、前記ガイド溝をスライドするスライド突起、前記上面または下面に設けられる凸部と、前記下面または上面に設けられる前後のストッパ壁とを備え、
前記スライダーの凸部が上下に隣接するスライダーの前記前後のストッパ壁との間を移動することによって前記連動機構を構成する、
請求項１記載のシャッターアッセンブリ。
【請求項５】
前記スライド板は、板本体の前辺および／または後辺に固定されたスペーサーをさらに備えている、
請求項３または４記載のシャッターアセンブリ。
【請求項６】
冷却装置を備え、上方に開口したケースと、その開口部に取り付けられた請求項１〜５いずれか記載のシャッターアセンブリとを有する、
冷凍・冷蔵ショーケース。
【手続補正書】
【提出日】令和3年4月22日(2021.4.22)
【手続補正１】
【補正対象書類名】特許請求の範囲
【補正対象項目名】全文
【補正方法】変更
【補正の内容】
【特許請求の範囲】
【請求項１】
イソα酸を含有しており、飲料中の溶存酸素量が０．１ｐｐｍ以上であり、光透過性容器に充填されていることを特徴とする、発酵ビール様発泡性飲料。
【請求項２】
３−メチル−２−ブテン−１−チオールの含有量が１００ｐｐｔ未満である、請求項１に記載の発酵ビール様発泡性飲料。
【請求項３】
前記光透過性容器が、５２０ｎｍにおける分光透過率が１５％以上の容器である、請求項１又は２に記載の発酵ビール様発泡性飲料。
【請求項４】
麦芽使用比率６６質量％以下である、請求項１〜３のいずれか一項に記載の発酵ビール様発泡性飲料。
【請求項５】
ノンアルコール飲料である、請求項１〜４のいずれか一項に記載の発酵ビール様発泡性飲料。
【請求項６】
イソα酸を含有する発酵ビール様発泡性飲料を製造する方法であって、
飲料中の溶存酸素量が０．１ｐｐｍ以上となるように調整し、光透過性容器に充填することを特徴とする、容器詰発酵ビール様発泡性飲料の製造方法。
【請求項７】
飲料中の３−メチル−２−ブテン−１−チオールの含有量を１００ｐｐｔ未満となるように調整する、請求項６に記載の容器詰発酵ビール様発泡性飲料の製造方法。
【請求項８】
前記光透過性容器が、５２０ｎｍにおける分光透過率が１５％以上の容器である、請求項６又は７に記載の容器詰発酵ビール様発泡性飲料の製造方法。
【請求項９】
製造された発酵ビール様発泡性飲料がノンアルコール飲料である、請求項６〜８のいずれか一項に記載の発酵ビール様発泡性飲料の製造方法。
【請求項１０】
麦芽の使用比率が６６質量％以下である、請求項６〜９のいずれか一項に記載の発酵ビール様発泡性飲料の製造方法。
【請求項１１】
イソα酸を含有する発酵ビール様発泡性飲料の溶存酸素量を０．１ｐｐｍ以上となるように調整した後、光透過性容器に充填することを特徴とする、発酵ビール様発泡性飲料の３−メチル−２−ブテン−１−チオールの含有量低減方法。
【手続補正２】
【補正対象書類名】明細書
【補正対象項目名】発明の名称
【補正方法】変更
【補正の内容】
【発明の名称】発酵ビール様発泡性飲料及びその製造方法
【手続補正３】
【補正対象書類名】明細書
【補正対象項目名】０００８
【補正方法】変更
【補正の内容】
【０００８】
本発明に係る発酵ビール様発泡性飲料、発酵ビール様発泡性飲料の製造方法、及び発酵ビール様発泡性飲料の３−メチル−２−ブテン−１−チオールの含有量低減方法は、下記［１］〜［１１］である。
［１］  イソα酸を含有しており、飲料中の溶存酸素量が０．１ｐｐｍ以上であり、光透過性容器に充填されていることを特徴とする、発酵ビール様発泡性飲料。
［２］  ３−メチル−２−ブテン−１−チオールの含有量が１００ｐｐｔ未満である、前記［１］の発酵ビール様発泡性飲料。
［３］  前記光透過性容器が、５２０ｎｍにおける分光透過率が１５％以上の容器である、前記［１］又は［２］の発酵ビール様発泡性飲料。
［４］  麦芽使用比率６６質量％以下である、前記［１］〜［３］のいずれかの発酵ビール様発泡性飲料。
［５］  ノンアルコール飲料である、前記［１］〜［４］のいずれかの発酵ビール様発泡性飲料。
［６］  イソα酸を含有する発酵ビール様発泡性飲料を製造する方法であって、
飲料中の溶存酸素量が０．１ｐｐｍ以上となるように調整し、光透過性容器に充填することを特徴とする、容器詰発酵ビール様発泡性飲料の製造方法。
［７］  飲料中の３−メチル−２−ブテン−１−チオールの含有量を１００ｐｐｔ未満となるように調整する、前記［６］の容器詰発酵ビール様発泡性飲料の製造方法。
［８］  前記光透過性容器が、５２０ｎｍにおける分光透過率が１５％以上の容器である、前記［６］又は［７］の容器詰発酵ビール様発泡性飲料の製造方法。
［９］  製造された発酵ビール様発泡性飲料がノンアルコール飲料である、前記［６］〜［８］のいずれかの発酵ビール様発泡性飲料の製造方法。
［１０］  麦芽の使用比率が６６質量％以下である、前記［６］〜［９］のいずれかの発酵ビール様発泡性飲料の製造方法。
［１１］  イソα酸を含有する発酵ビール様発泡性飲料の溶存酸素量を０．１ｐｐｍ以上となるように調整した後、光透過性容器に充填することを特徴とする、発酵ビール様発泡性飲料の３−メチル−２−ブテン−１−チオールの含有量低減方法。
【手続補正４】
【補正対象書類名】明細書
【補正対象項目名】００５９
【補正方法】変更
【補正の内容】
【００５９】
得られた発酵ビール様発泡性飲料を、溶存酸素量が０．０５ｐｐｍ（対照２）、０．１ｐｐｍ（試験６）、０．３ｐｐｍ（試験７）、１．０ｐｐｍ（試験８）、又は３．０ｐｐｍ（試験９）となるように酸素を適量バブリングした後、光の波長５２０ｎｍにおける分光透過率が２０％の６３３ｍＬ容量の瓶に充填した。
【手続補正５】
【補正対象書類名】明細書
【補正対象項目名】００６１
【補正方法】変更
【補正の内容】
【００６１】
【表２】
2019122365.tif 000001
【手続補正６】
【補正対象書類名】明細書
【補正対象項目名】００６６
【補正方法】変更
【補正の内容】
【００６６】
【表３】
2019122365.tif 000002
【手続補正書】
【提出日】令和3年1月20日(2021.1.20)
【手続補正１】
【補正対象書類名】特許請求の範囲
【補正対象項目名】全文
【補正方法】変更
【補正の内容】
【特許請求の範囲】
【請求項１】
スイッチ操作部と、表示部と、を備えるスイッチ装置と、
前記スイッチ操作部からの信号に基づいてゲームイベントを発生させて前記表示部に表示させるイベント発生部と、
軟質材料からなり、少なくとも前記スイッチ操作部を覆って前記スイッチ操作部に対応する被覆操作部を備えて前記表示部を露出するように前記スイッチ装置を被覆する被覆本体と、
を有し、
前記スイッチ操作部は、前記被覆操作部の変形操作に応じて操作され、
前記被覆操作部を押す操作に対応する第１方向への変形操作により前記スイッチ操作部から出力される信号と、前記被覆操作部における前記第１方向と異なる第２方向への変形操作により前記スイッチ操作部から出力される信号と、が異なる、
ことを特徴とするゲーム装置。
【請求項２】
前記ゲームイベントは、前記被覆操作部の変形操作に応じて進行することを特徴とする請求項１に記載のゲーム装置。
【請求項３】
前記第２方向は、前記被覆操作部を引っ張る操作に対応することを特徴とする請求項１又は請求項２に記載のゲーム装置。
【請求項４】
前記被覆本体は、キャラクタを模して形成されることを特徴とする請求項１乃至請求項３の何れか記載のゲーム装置。
【請求項５】
前記スイッチ装置は、キャラクタを模して形成されることを特徴とする請求項１乃至請求項４の何れか記載のゲーム装置。
【請求項６】
前記被覆本体は、顔部を備えるキャラクタを模して形成されており、
前記被覆操作部は、前記顔部における鼻部及び左右の頬部に形成されることを特徴とする請求項１乃至請求項５の何れか記載のゲーム装置。
【請求項７】
前記軟質材料は、ポリウレタンからなることを特徴とする請求項１乃至請求項６の何れか記載のゲーム装置。
【請求項８】
第１接点スイッチと、第２接点スイッチと、を備えるスイッチ操作部と、を有し、
前記スイッチ操作部は、前記第１接点スイッチ及び前記第２接点スイッチが配置される基板と対向して設けられるブロック状のスイッチ操作体を有し、
前記スイッチ操作部は、前記スイッチ操作体に対する前記第１接点スイッチ及び前記第２接点スイッチに向かう方向である第１方向への操作により前記第１接点スイッチと前記第２接点スイッチとの組み合わせで出力する信号と、前記スイッチ操作体に対する前記第１方向と異なる第２方向への操作により前記第１接点スイッチと前記第２接点スイッチとの組み合わせで出力する信号と、が異なることを特徴とするゲーム装置用スイッチ装置。
【請求項９】
前記スイッチ操作体は、上面が傾斜して形成されて、下面には、前記第１接点スイッチに対向する位置に第１接点押圧部が突出して形成され、前記第２接点スイッチに対向する位置に第２接点押圧部が突出して形成され、前記第１接点押圧部と前記第２接点押圧部との間に中間突起が突出して形成され、下端外周縁に漸次厚さを異ならせて接続される環状支持部により支持される、
ことを特徴とする請求項８に記載のゲーム装置用スイッチ装置。
【請求項１０】
第１接点スイッチと、第２接点スイッチと、を備えるスイッチ操作部と、を有し、
前記スイッチ操作部は、前記スイッチ操作部に対する第１方向への操作により前記第１接点スイッチと前記第２接点スイッチとの組み合わせで出力する信号と、前記スイッチ操作部に対する前記第１方向と異なる第２方向への操作により前記第１接点スイッチと前記第２接点スイッチとの組み合わせで出力する信号と、が異なり、
前記スイッチ操作部は、移動自在にガイドされるスライド駒体を備えて、
前記第１接点スイッチは、前記スライド駒体に設けられて前記スライド駒体に対する前記第１方向へ押下する操作により反応するタクトスイッチであり、
前記第２接点スイッチは、リーフスイッチとされる一方の端子が前記スライド駒体に接続されて、前記スライド駒体を前記第２方向へ移動することにより前記リーフスイッチとされる他方の端子と接触又は離間するよう形成される、
ことを特徴とするゲーム装置用スイッチ装置。
【手続補正書】
【提出日】令和2年11月30日(2020.11.30)
【手続補正１】
【補正対象書類名】特許請求の範囲
【補正対象項目名】全文
【補正方法】変更
【補正の内容】
【特許請求の範囲】
【請求項１】
遊技者に有利な特別遊技を実行するか否かの判定を行う判定手段と、
前記判定手段により前記特別遊技を実行すると判定された場合、前記特別遊技を実行する特別遊技実行手段と、
所定遊技状態、又は、前記所定遊技状態よりも有利な特定遊技状態にて遊技を制御可能な遊技状態制御手段と、
所定の演出を実行可能な演出実行手段と、を備え、
前記特別遊技には、少なくとも、第１の特別遊技と、前記第１の特別遊技よりも有利な第２の特別遊技と、があり、
前記遊技状態制御手段は、前記第１の特別遊技の後にも前記第２の特別遊技の後にも前記特定遊技状態にて遊技を制御可能であり、
前記演出実行手段は、前記判定手段の判定結果に基づいて、前記特別遊技が実行されることを示唆する特定演出を実行するときがあり、
前記特定演出には、演出態様が異なる複数の特定演出があり、
前記第２の特別遊技が実行される場合、前記複数の特定演出のうち特別の演出態様の特定演出が実行されるときがあり、前記第１の特別遊技が実行される場合、前記特別の演出態様の特定演出が実行されず、
前記演出実行手段は、前記特別遊技の後に前記特定遊技状態で遊技が制御されることを示唆する示唆演出を実行するときがあり、
前記複数の特定演出のうち所定の特定演出が実行される場合、当該所定の特定演出の後に前記示唆演出は実行されない
ことを特徴とする遊技機。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
通常状態および有利状態を含む複数種類の状態のうちのいずれかに制御可能な状態制御手段と、
前記有利状態への制御を特定可能な特定状態データを設定する設定手段と、
全遊技において遊技者に付与された総遊技用価値量に対する、当該全遊技のうちの前記有利状態に制御された遊技において遊技者に付与された総遊技用価値量の比率である特定比率の算出に用いる遊技用価値量を更新するための処理である特定更新処理を実行する特定更新処理手段と、
前記特定比率を特定可能な情報を報知する特定報知手段とを備え、
前記特定更新処理手段は、前記通常状態において表示結果が導出されたことに基づいて前記有利状態に制御される場合において、当該表示結果が導出されてから前記特定状態データが設定されるまでの間に、前記特定更新処理を実行し、
前記スロットマシンは、当該スロットマシンの性能試験を行う試験装置に対して有利状態への制御を特定させるための特定状態信号を生成する特定状態信号生成手段をさらに備え、
前記特定状態信号生成手段は、前記設定手段により設定された前記特定状態データにもとづいて前記特定状態信号を生成する、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
通常状態（たとえば、非ボーナス状態）および有利状態（たとえば、ボーナス状態）を含む複数種類の状態のうちのいずれかに制御可能な状態制御手段（たとえば、メイン制御部４１により状態を制御するための処理）と、
前記有利状態への制御を特定可能な特定状態データ（たとえば、ボーナス中データがＯＮ）を設定する設定手段（たとえば、メイン制御部４１が外部出力信号出力処理（Ｓａ１１）でボーナス中データをＯＮまたはＯＦＦ設定する処理）と、
全遊技において遊技者に付与された総遊技用価値量（たとえば、総払出枚数）に対する、当該全遊技のうちの前記有利状態に制御された遊技において遊技者に付与された総遊技用価値量（たとえば、ボーナス中払出枚数）の比率である特定比率（たとえば、役物比率）の算出に用いる遊技用価値量（たとえば、総払出枚数、ボーナス中払出枚数）を更新するための処理である特定更新処理（たとえば、役比モニタ用データ処理（Ｓａ４））を実行する特定更新処理手段（たとえば、メイン制御部４１が実行する役比モニタ用データ処理）と、
前記特定比率を特定可能な情報（たとえば、図１（ｃ）に示す遊技機情報表示器５０に表示される情報）を報知する特定報知手段（たとえば、遊技機情報表示器５０）とを備え、
前記特定更新処理手段は、前記通常状態において表示結果が導出されたことに基づいて前記有利状態に制御される場合において、当該表示結果が導出されてから前記特定状態データが設定されるまでの間に、前記特定更新処理を実行し（たとえば、図３に示すように、非ボーナス状態においてボーナス図柄組合せが導出されたことに基づいてボーナス状態に制御される場合において、ｔ２においてボーナス図柄組合せが導出されてから、ｔ７においてボーナス中データがＯＮ設定されるまでの間に、ｔ４〜ｔ５の役比モニタ用データ処理が実行される）、
前記スロットマシンは、当該スロットマシンの性能試験を行う試験装置に対して有利状態への制御を特定させるための特定状態信号を生成する特定状態信号生成手段をさらに備え、
前記特定状態信号生成手段は、前記設定手段により設定された前記特定状態データにもとづいて前記特定状態信号を生成する。
【手続補正書】
【提出日】令和2年12月23日(2020.12.23)
【手続補正１】
【補正対象書類名】明細書
【補正対象項目名】００３２
【補正方法】変更
【補正の内容】
【００３２】
トップシート２は、液を透過する性質を有するものであり、例えば、有孔又は無孔の不織布や、多孔性プラスチックシートなどを例示することができる。不織布は特に限定されるものではない。例えば、不織布の構成繊維としては、ポリエチレン又はポリプロピレン等のオレフィン系、ポリエステル系、ポリアミド系等の合成繊維（単成分繊維の他、芯鞘等の複合繊維も含む）の他、レーヨンやキュプラ等の再生繊維、綿等の天然繊維等、特に限定なく選択することができ、これらを混合して用いることもできる。不織布の柔軟性を高めるために、構成繊維を捲縮繊維とするのは好ましい。また、不織布の構成繊維は、親水性繊維（親水化剤により親水性となったものを含む）であっても、疎水性繊維若しくは撥水性繊維（撥水剤により撥水性となった撥水性繊維を含む）であってもよい。また、不織布は一般に繊維の長さや、シート形成方法、繊維結合方法、積層構造により、短繊維不織布、長繊維不織布、スパンボンド不織布、メルトブローン不織布、スパンレース不織布、サーマルボンド（エアスルー）不織布、ニードルパンチ不織布、ポイントボンド不織布、積層不織布（スパンボンド層間にメルトブローン層を挟んだＳＭＳ不織布、ＳＭＭＳ不織布等）等に分類されるが、これらのどの不織布も、トップシート２に用いることができる。トップシート２に不織布を用いる場合、その目付けや厚みは特に限定されるものではないが、通常の場合、目付けは１０〜３５ｇ／ｍ2程度、厚みは１.０〜２.５ｍｍ程度のものを用いることができる。
【手続補正２】
【補正対象書類名】明細書
【補正対象項目名】００５９
【補正方法】変更
【補正の内容】
【００５９】
・「目付け」は次のようにして測定されるものである。試料又は試験片を予備乾燥した後、標準状態（試験場所は、温度２３±１℃、相対湿度５０±２％）の試験室又は装置内に放置し、恒量になった状態にする。予備乾燥は、試料又は試験片を温度１００℃の環境で恒量にすることをいう。なお、公定水分率が０．０％の繊維については、予備乾燥を行わなくてもよい。恒量になった状態の試験片から、試料採取用の型板(１００ｍｍ×１００ｍｍ)を使用し、１００ｍｍ×１００ｍｍの寸法の試料を切り取る。試料の重量を測定し、１００倍して１平米あたりの重さを算出し、目付けとする。
【手続補正書】
【提出日】令和3年4月2日(2021.4.2)
【手続補正１】
【補正対象書類名】特許請求の範囲
【補正対象項目名】全文
【補正方法】変更
【補正の内容】
【特許請求の範囲】
【請求項１】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
通常状態および有利状態を含む複数種類の状態のうちのいずれかに制御可能な状態制御手段と、
前記有利状態への制御を特定可能な特定状態データを設定する設定手段と、
全遊技において遊技者に付与された総遊技用価値量に対する、当該全遊技のうちの前記有利状態に制御された遊技において遊技者に付与された総遊技用価値量の比率である特定比率の算出に用いる遊技用価値量を更新するための処理である特定更新処理を実行する特定更新処理手段と、
前記特定比率を特定可能な情報を報知する特定報知手段と、
付与表示結果が導出されたことに基づいて遊技用価値を遊技者に付与する付与処理を実行する付与処理手段と、を備え、
前記特定更新処理手段は、
前記通常状態において表示結果が導出されたことに基づいて前記有利状態に制御される場合において、当該表示結果が導出されてから前記特定状態データが設定されるまでの間に、前記特定更新処理を実行し、
前記付与表示結果が導出された場合において、当該付与表示結果が導出されてから前記付与処理が実行されるまでの間に、前記特定更新処理を実行し、
前記スロットマシンは、当該スロットマシンの性能試験を行う試験装置に対して有利状態への制御を特定させるための特定状態信号を生成する特定状態信号生成手段をさらに備え、
前記特定状態信号生成手段は、前記設定手段により設定された前記特定状態データにもとづいて前記特定状態信号を生成する、スロットマシン。
【手続補正２】
【補正対象書類名】明細書
【補正対象項目名】発明の名称
【補正方法】変更
【補正の内容】
【発明の名称】スロットマシン
【手続補正３】
【補正対象書類名】明細書
【補正対象項目名】０００８
【補正方法】変更
【補正の内容】
【０００８】
各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシンにおいて、
通常状態および有利状態を含む複数種類の状態のうちのいずれかに制御可能な状態制御手段と、
前記有利状態への制御を特定可能な特定状態データを設定する設定手段と、
全遊技において遊技者に付与された総遊技用価値量に対する、当該全遊技のうちの前記有利状態に制御された遊技において遊技者に付与された総遊技用価値量の比率である特定比率の算出に用いる遊技用価値量を更新するための処理である特定更新処理を実行する特定更新処理手段と、
前記特定比率を特定可能な情報を報知する特定報知手段と、
付与表示結果が導出されたことに基づいて遊技用価値を遊技者に付与する付与処理を実行する付与処理手段と、を備え、
前記特定更新処理手段は、
前記通常状態において表示結果が導出されたことに基づいて前記有利状態に制御される場合において、当該表示結果が導出されてから前記特定状態データが設定されるまでの間に、前記特定更新処理を実行し、
前記付与表示結果が導出された場合において、当該付与表示結果が導出されてから前記付与処理が実行されるまでの間に、前記特定更新処理を実行し、
前記スロットマシンは、当該スロットマシンの性能試験を行う試験装置に対して有利状態への制御を特定させるための特定状態信号を生成する特定状態信号生成手段をさらに備え、
前記特定状態信号生成手段は、前記設定手段により設定された前記特定状態データにもとづいて前記特定状態信号を生成する。
なお、スロットマシンは、以下の構成であってもよい。
（１）  各々が識別可能な複数種類の識別情報を変動表示可能な可変表示部を備え、
前記可変表示部を変動表示した後、前記可変表示部の変動表示を停止することで表示結果を導出し、該表示結果に応じて入賞が発生可能なスロットマシン（たとえば、スロットマシン１）において、
通常状態（たとえば、非有利区間中）および有利状態（たとえば、有利区間中）を含む複数種類の状態のうちのいずれかに制御可能な状態制御手段（たとえば、メイン制御部４１により状態を制御するための処理）と、
前記有利状態への制御を特定可能な特定状態データ（たとえば、有利区間中データがＯＮ）を設定する設定手段（たとえば、メイン制御部４１が有利区間ランプ処理（Ｓａ１２）で有利区間中データをＯＮまたはＯＦＦ設定する処理）と、
全遊技において消化した総ゲーム数（たとえば、総ゲーム数）に対する、当該全遊技のうちの前記有利状態に制御された遊技において消化した総ゲーム数（たとえば、有利区間中ゲーム数）の比率である特定比率（たとえば、有利区間比率）の算出に用いるゲーム数（たとえば、総ゲーム数、有利区間中ゲーム数）の更新処理である特定更新処理（たとえば、役比モニタ用データ処理（Ｓａ４））を実行する特定更新処理手段（たとえば、メイン制御部４１が実行する役比モニタ用データ処理）と、
前記特定比率を特定可能な情報（たとえば、図１（ｃ）に示す遊技機情報表示器５０に表示される情報）を報知する特定報知手段（たとえば、遊技機情報表示器５０）とを備え、
前記特定更新処理手段は、前記通常状態において表示結果が導出されたことに基づいて前記有利状態に制御される場合において、当該表示結果が導出されてから前記特定状態データが設定されるまでの間に、前記特定更新処理を実行する（たとえば、図５に示すように、非有利区間中において図柄組合せが導出されたことに基づいて有利区間に制御される場合において、ｔ２において図柄組合せが導出されてから、ｔ７において有利区間中データがＯＮ設定されるまでの間に、ｔ４〜ｔ５の役比モニタ用データ処理が実行される）。
【手続補正書】
【提出日】令和2年12月28日(2020.12.28)
【手続補正１】
【補正対象書類名】明細書
【補正対象項目名】００１０
【補正方法】変更
【補正の内容】
【００１０】
ここで、図８の回路では、第１グループのＦＥＴＱ１、Ｑ４がオンからオフになった瞬間に一次コイルＮ１に逆起電力が生じる。この逆起電力は、ＦＥＴＱ２、Ｑ３のボディダイオードに対して順バイアスであるため、図８及び図９（ｃ）に示す電流ｉＢが流れる。同様に、第２グループのＦＥＴＱ２、Ｑ３がオンからオフになった瞬間には、電流ｉＡが流れる。電流ｉＡ及びｉＢは、トランスＴの磁気リセットの役割を果たしている。しかしながら、電流ｉＡ及びｉＢは入力側への還流であるので、トランスの二次側に伝達されないエネルギーであり、電力変換効率を低下させているとも言える。
【手続補正２】
【補正対象書類名】明細書
【補正対象項目名】００２３
【補正方法】変更
【補正の内容】
【００２３】
同様に、正の入力端子１と一次コイルＮ１の他端との間にＦＥＴＱ２が直列接続されている。一次コイルＮ１の一端と負の入力端子２との間に、逆流防止ダイオードＤ２とＦＥＴＱ３が直列接続されている。基本的なフルブリッジ回路とは異なり、逆流防止ダイオードＤ２が挿入されている。逆流防止ダイオードＤ２の極性は、ＦＥＴＱ２及びＦＥＴＱ３のボディダイオードのそれとは逆方向である。
【手続補正３】
【補正対象書類名】明細書
【補正対象項目名】００３４
【補正方法】変更
【補正の内容】
【００３４】
次に、図１（ｂ）及び図３を参照する。第１グループのＦＥＴＱ１、Ｑ４がオフになると、一次コイルＮ１の電流ｉ１が遮断され、一次コイルＮ１及び二次コイルＮ２に逆起電力が発生する。一次コイルＮ１の逆起電力は、ＦＥＴＱ２、Ｑ３のボディダイオードに対して順バイアスであるが、逆流防止ダイオードＤ２が電流路に挿入されているため電流は流れない。すなわち、前述した図８の通常のフルブリッジ回路とは異なり、入力側への還流は阻止される。この結果、通常のフルブリッジ回路では、入力側に戻されるエネルギーがトランスＴに留まる。
【手続補正４】
【補正対象書類名】明細書
【補正対象項目名】００３６
【補正方法】変更
【補正の内容】
【００３６】
さらに、二次コイルＮ２の逆起電力により、ダイオードＤ４が順バイアスとなり、ダイオードＤ５→二次コイルＮ２→ダイオードＤ４→リアクトルＬ２の経路で電流ｉｆｂが流れ、出力端子ｐに出力され負荷に供給される（図３（ｄ）（ｆ）参照）。電流ｉｆｂは、トランスＴの相互誘導によるものではなく、一次側の逆流防止ダイオードＤ２により還流が阻止されたためにトランスＴに留められた磁気エネルギーの放出によるものである。従って電流ｉｆｂは、フライバック電流と言うことができる。
【手続補正５】
【補正対象書類名】明細書
【補正対象項目名】００３７
【補正方法】変更
【補正の内容】
【００３７】
フライバック電流ｉｆｂは、フォワード電流ｉ２とは異なり、入力電圧が小さく二次コイルＮ２に発生する逆起電力が小さいときであっても、逆起電力の大きさに応じた大きさで出力端子ｐへ出力される。従って、例えば正弦波の入力電圧の場合、入力電圧が小さい範囲においてもフライバック電流ｉｆｂが流れることによって力率が改善される。本回路は、基本的にフォワード形式であるが、フライバック電流ｉｆｂも流れることができるので力率改善機能を備えている。これは、一次側に逆流防止ダイオードＤ２を設けたことにより実現されている。
【手続補正６】
【補正対象書類名】明細書
【補正対象項目名】００４２
【補正方法】変更
【補正の内容】
【００４２】
次に、図２（ｂ）及び図３を参照する。第２グループのＦＥＴＱ２、Ｑ３がオフになると、一次コイルＮ１の電流ｉ４が遮断され、一次コイルＮ１及び二次コイルＮ２に逆起電力が発生する。一次コイルＮ１の逆起電力は、ＦＥＴＱ１、Ｑ４のボディダイオードに対して順バイアスであるが、逆流防止ダイオードＤ１が電流路に挿入されているため電流は流れない。この結果、エネルギーがトランスＴに留まる。
【手続補正７】
【補正対象書類名】明細書
【補正対象項目名】００４４
【補正方法】変更
【補正の内容】
【００４４】
さらに、二次コイルＮ２の逆起電力により、ダイオードＤ３が順バイアスとなり、ダイオードＤ６→二次コイルＮ２→ダイオードＤ３→リアクトルＬ１の経路で電流ｉｆｂが流れ、出力端子ｐに出力され負荷に供給される（図３（ｄ）（ｅ）参照）。電流ｉｆｂは、トランスＴの相互誘導によるものではなく、一次側の逆流防止ダイオードＤ１により還流が阻止されたためにトランスＴに留められた磁気エネルギーの放出によるフライバック電流である。上述した通り、電流ｉｆｂは、二次コイルＮ２の逆起電力の大きさによらず出力されるため、力率が改善される。
【手続補正書】
【提出日】令和3年1月14日(2021.1.14)
【手続補正１】
【補正対象書類名】特許請求の範囲
【補正対象項目名】全文
【補正方法】変更
【補正の内容】
【特許請求の範囲】
【請求項１】
導電性を有する吐出材を吐出する吐出ヘッドと、
内部空間が、前記吐出ヘッドに供給される前記吐出材を収容する第１収容空間と、導電性を有する作動液を収容する第２収容空間と、に可撓性膜によって分離された収容容器と、
前記第２収容空間の内圧を制御する圧力制御手段と、
前記可撓性膜の内部に対向配備された対の電極間の導電性の変化を検知する検知手段と、
を備え、
前記検知手段は、吐出材および前記作動液の少なくとも一方が前記可撓性膜の内部に浸入したことによる前記可撓性膜の電気的特性の変化を検知することを特徴とする吐出材吐出装置。
【請求項２】
前記検知手段は、前記対の電極として、絶縁部を挟んで対向する対の導電層を含む請求項１に記載の吐出材吐出装置。
【請求項３】
前記対の導電層はアルミニウムで形成されており、表面に前記絶縁部として酸化アルミニウムを有する請求項２に記載の吐出材吐出装置。
【請求項４】
前記検知手段は、所定の検知タイミングで前記可撓性膜の導電性の変化を検知し、
前記圧力制御手段は、前記検知タイミングに合わせて前記第１収容空間と前記第２収容空間との間に圧力差を生じさせるように、前記第２収容空間の内圧を制御する請求項１から３のいずれか１項に記載の吐出材吐出装置。
【請求項５】
前記圧力制御手段は、前記検知タイミングに合わせて前記第２収容空間を加圧する場合に、前記第２収容空間の内圧を０〜３０ｋＰａに制御する請求項４に記載の吐出材吐出装置。
【請求項６】
前記検知手段が前記電気的特性の変化を検知したときに、前記吐出材吐出装置の作動停止を指示する制御手段をさらに備える請求項１から５のいずれか１項に記載の吐出材吐出装置。
【請求項７】
前記可撓性膜の厚みは２００μｍ以下である請求項１から６のいずれか１項に記載の吐出材吐出装置。
【請求項８】
基板に付与されたインプリント材に型のパターンを転写して、前記基板を加工するインプリント装置であって、
前記インプリント材を前記基板に付与するために、前記インプリント材を吐出材として吐出する請求項１から７のいずれかに記載の吐出材吐出装置を備えることを特徴とするインプリント装置。
【手続補正２】
【補正対象書類名】明細書
【補正対象項目名】０００６
【補正方法】変更
【補正の内容】
【０００６】
本発明の吐出材吐出装置は、導電性を有する吐出材を吐出する吐出ヘッドと、内部空間が、前記吐出ヘッドに供給される前記吐出材を収容する第１収容空間と、導電性を有する作動液を収容する第２収容空間と、に可撓性膜によって分離された収容容器と、前記第２収容空間の内圧を制御する圧力制御手段と、前記可撓性膜の内部に対向配備された対の電極間の導電性の変化を検知する検知手段と、を備え、前記検知手段は、吐出材および前記作動液の少なくとも一方が前記可撓性膜の内部に浸入したことによる前記可撓性膜の電気的特性の変化を検知することを特徴とする。